(57)【特許請求の範囲】
【請求項１】
使い捨ておむつであって、
前方部、股下部および後方部を長手方向に順に有する略シート状の本体部と、
前記後方部の両側部に取り付けられ、前記前方部の外面に止着される一対の止着テープと、
を備え、
前記一対の止着テープのそれぞれが、
使用時に前記後方部の前記両側部から左右方向へと広げられるテープ基部と、
広げられた状態における前記テープ基部の内面に、前記テープ基部の先端から前記本体部に向かって互いに離間して順に設けられた第１止着部、第２止着部および第３止着部と、
を備え、
前記第１止着部、前記第２止着部および前記第３止着部が、前記前方部の前記外面に対して止着可能な微細フック構造を有し、
前記第１止着部の前記左右方向の幅と前記第３止着部の前記左右方向の幅とが等しく、
前記第１止着部と前記第２止着部との間の領域である第１中間領域の前記左右方向の幅と、前記第２止着部と前記第３止着部との間の領域である第２中間領域の前記左右方向の幅とが等しく、
前記第２中間領域の前記幅が、前記第３止着部の前記幅以上であり、
使用前の状態において、
前記テープ基部が前記第２中間領域に位置する折り返し線にて折り返され、
前記第１止着部および前記第２止着部が前記第３止着部よりも前記本体部側の領域に仮止着され、
前記第３止着部が前記第２中間領域に仮止着され、
前記第３止着部と前記第２中間領域との重複面積が、前記第２止着部と前記第３止着部よりも前記本体部側の前記領域との重複面積よりも大きく、
前記第２止着部と前記第３止着部よりも前記本体部側の前記領域との重複面積が、前記第１止着部と前記第３止着部よりも前記本体部側の前記領域との重複面積よりも大きいことを特徴とする使い捨ておむつ。
【請求項２】
請求項１に記載の使い捨ておむつであって、
使用前の状態において、
前記第３止着部の前記本体部側のエッジが、前記第２止着部の前記第２中間領域側のエッジに重なり、または、近接することを特徴とする使い捨ておむつ。
【請求項３】
請求項１または２に記載の使い捨ておむつであって、
使用前の状態において、
前記折り返し線が、前記第３止着部の前記第２中間領域側のエッジに重なり、または、近接することを特徴とする使い捨ておむつ。
【請求項４】
請求項１ないし３のいずれかに記載の使い捨ておむつであって、
前記第２止着部の前記左右方向の幅が、前記第１止着部の前記幅および前記第３止着部の前記幅に等しいことを特徴とする使い捨ておむつ。
【請求項５】
使い捨ておむつであって、
前方部、股下部および後方部を長手方向に順に有する略シート状の本体部と、
前記後方部の両側部に取り付けられ、前記前方部の外面に止着される一対の止着テープと、
を備え、
前記一対の止着テープのそれぞれが、
使用時に前記後方部の前記両側部から左右方向へと広げられるテープ基部と、
広げられた状態における前記テープ基部の内面に、前記テープ基部の先端から前記本体部に向かって互いに離間して順に設けられた第１止着部、第２止着部および第３止着部と、
を備え、
前記第１止着部、前記第２止着部および前記第３止着部が、前記前方部の前記外面に対して止着可能な微細フック構造を有し、
前記第１止着部の前記左右方向の幅と前記第３止着部の前記左右方向の幅とが等しく、
前記第１止着部と前記第２止着部との間の領域である第１中間領域の前記左右方向の幅と、前記第２止着部と前記第３止着部との間の領域である第２中間領域の前記左右方向の幅とが等しく、
前記第１中間領域の前記幅および前記第２中間領域の前記幅が、前記第２止着部の前記左右方向の幅および前記第３止着部の前記幅以上であり、
使用前の状態において、
前記テープ基部が前記第２中間領域に位置する折り返し線にて折り返され、
前記第１止着部が前記第３止着部よりも前記本体部側の領域に仮止着され、
前記第２止着部が前記第２中間領域に仮止着され、
前記第３止着部が前記第１中間領域に仮止着され、
前記第２止着部と前記第２中間領域との重複面積が、前記第３止着部と前記第１中間領域との重複面積よりも大きく、
前記第３止着部と前記第１中間領域との重複面積が、前記第１止着部と前記第３止着部よりも前記本体部側の前記領域との重複面積よりも大きいことを特徴とする使い捨ておむつ。
【請求項６】
請求項５に記載の使い捨ておむつであって、
使用前の状態において、
前記折り返し線が、前記第２止着部の前記第２中間領域側のエッジに重なり、または、近接し、
前記第３止着部の前記本体部側のエッジが、前記第１止着部の前記第１中間領域側のエッジに重なり、または、近接し、
前記第３止着部の前記第２中間領域側のエッジが、前記第２止着部の前記第１中間領域側のエッジに重なり、または、近接することを特徴とする使い捨ておむつ。
【請求項７】
使い捨ておむつであって、
前方部、股下部および後方部を長手方向に順に有する略シート状の本体部と、
前記後方部の両側部に取り付けられ、前記前方部の外面に止着される一対の止着テープと、
を備え、
前記一対の止着テープのそれぞれが、
使用時に前記後方部の前記両側部から左右方向へと広げられるテープ基部と、
広げられた状態における前記テープ基部の内面に、前記テープ基部の先端から前記本体部に向かって互いに離間して順に設けられた第１止着部、第２止着部および第３止着部と、
を備え、
前記第１止着部、前記第２止着部および前記第３止着部が、前記前方部の前記外面に対して止着可能な微細フック構造を有し、
前記第１止着部の前記左右方向の幅と前記第３止着部の前記左右方向の幅とが等しく、
前記第１止着部と前記第２止着部との間の領域である第１中間領域の前記左右方向の幅と前記第２止着部と前記第３止着部との間の領域である第２中間領域の前記左右方向の幅とが等しく、
前記第１中間領域の前記幅および前記第２中間領域の前記幅が、前記第１止着部の前記幅および前記第２止着部の前記左右方向の幅以上であり、
使用前の状態において、
前記テープ基部が前記第１中間領域に位置する折り返し線にて折り返され、
前記第１止着部が前記第２中間領域に仮止着され、
前記第２止着部が前記第１中間領域に仮止着され、
前記第３止着部が前記テープ基部の前記第１止着部よりも先端側の領域に仮止着され、
前記第２止着部と前記第１中間領域との重複面積が、前記第１止着部と前記第２中間領域との重複面積よりも大きく、
前記第１止着部と前記第２中間領域との重複面積が、前記第３止着部と前記第１止着部よりも先端側の前記領域との重複面積よりも大きいことを特徴とする使い捨ておむつ。
【請求項８】
請求項１ないし７のいずれかに記載の使い捨ておむつであって、
前記第１止着部、前記第２止着部および前記第３止着部が、前記テープ基部の前記内面を横断することを特徴とする使い捨ておむつ。
【請求項９】
請求項１ないし８のいずれかに記載の使い捨ておむつであって、
前記一対の止着テープと同様の他の一対の止着テープを、前記本体部の前記長手方向において前記一対の止着テープに隣接してさらに備えることを特徴とする使い捨ておむつ。
【発明の詳細な説明】
【技術分野】
【０００１】
本発明は、使い捨ておむつに関する。
【背景技術】
【０００２】
従来より、着用者からの排泄物を受ける使い捨ておむつの一つとして、着用者の腹側に接する部位と背側に接する部位とを止着テープにより腰周りで止着して着用するテープタイプのものが利用されている。例えば、特許文献１では、背側部の左右両側部にてバックシートに貼着された一対のファスニングテープを、腹側部のバックシート上に設けられたランディングテープに止着する使い捨ておむつが開示されている。各ファスニングテープのテープ本体上には、複数の機械的ファスナの凸部材が左右方向に配列されており、これらの凸部材が機械的ファスナの凹部材であるランディングテープに剥離可能に止着される。
【０００３】
特許文献２の使い捨ておむつでは、後胴周り域の左右両側に設けられた一対のリアウイングにフック部材が設けられており、当該フック部材が前胴周り域の外面に設けられたループ部材に剥離可能に止着される。当該使い捨ておむつでは、フック部材は、互いに分離独立した複数のフック集合体からなる。
【先行技術文献】
【特許文献】
【０００４】
【特許文献１】特開平１０−２８７０３号公報
【特許文献２】特開２００４−３４４５１４号公報
【発明の概要】
【発明が解決しようとする課題】
【０００５】
ところで、特許文献１および２の使い捨ておむつでは、ファスニングテープやリアウイングが側方に大きく突出しているため、使い捨ておむつの製造の際に、フックが意図しない部位に止着して不良品が製造されてしまうおそれがある。また、使い捨ておむつを着用者に装着する際に、フックにより着用者の皮膚が擦られたり、フックが意図しない部位に止着して使い捨ておむつの装着作業が阻害されるおそれがある。
【０００６】
そこで、使い捨ておむつの製造時に、止着テープのテープ本体を内面（すなわち、フックが設けられる面）側へと折り返し、フックを止着テープの内面等に仮止着することが考えられる。しかしながら、特許文献１および２の使い捨ておむつのように複数のフックが互いに近接して配置されている場合、隣接する２つのフックの間にてテープ本体を折り返すと当該２つのフック同士が係合してフックが潰れてしまったり、フック同士を剥離する際にフックが破損するおそれがある。
【０００７】
一方、使い捨ておむつの本体部に最も近い（すなわち、本体部側の）フックと本体部との間にてフック本体を折り返すと、フック同士が係合してしまうことはないが、フックが本体部のトップシートやサイドシートに止着され、剥離する際にトップシート等が破損してしまうおそれがある。あるいは、使い捨ておむつの製造時に止着テープが折り返された状態で本体部に接合される場合には、折り返された部位も含めて接合されてしまい、止着テープを使用することができなくなるおそれもある。
【０００８】
本発明は、上記課題に鑑みなされたものであり、使用前の状態における使い捨ておむつにおいて、複数の止着部を破損することなく止着テープを折り返して仮止着することを目的としている。
【課題を解決するための手段】
【０００９】
請求項１に記載の発明は、使い捨ておむつであって、前方部、股下部および後方部を長手方向に順に有する略シート状の本体部と、前記後方部の両側部に取り付けられ、前記前方部の外面に止着される一対の止着テープとを備え、前記一対の止着テープのそれぞれが、使用時に前記後方部の前記両側部から左右方向へと広げられるテープ基部と、広げられた状態における前記テープ基部の内面に、前記テープ基部の先端から前記本体部に向かって互いに離間して順に設けられた第１止着部、第２止着部および第３止着部とを備え、前記第１止着部、前記第２止着部および前記第３止着部が、前記前方部の前記外面に対して止着可能な微細フック構造を有し、前記第１止着部の前記左右方向の幅と前記第３止着部の前記左右方向の幅とが等しく、前記第１止着部と前記第２止着部との間の領域である第１中間領域の前記左右方向の幅と、前記第２止着部と前記第３止着部との間の領域である第２中間領域の前記左右方向の幅とが等しく、前記第２中間領域の前記幅が、前記第３止着部の前記幅以上であり、使用前の状態において、前記テープ基部が前記第２中間領域に位置する折り返し線にて折り返され、前記第１止着部および前記第２止着部が前記第３止着部よりも前記本体部側の領域に仮止着され、前記第３止着部が前記第２中間領域に仮止着され、前記第３止着部と前記第２中間領域との重複面積が、前記第２止着部と前記第３止着部よりも前記本体部側の前記領域との重複面積よりも大きく、前記第２止着部と前記第３止着部よりも前記本体部側の前記領域との重複面積が、前記第１止着部と前記第３止着部よりも前記本体部側の前記領域との重複面積よりも大きい。
【００１０】
請求項２に記載の発明は、請求項１に記載の使い捨ておむつであって、使用前の状態において、前記第３止着部の前記本体部側のエッジが、前記第２止着部の前記第２中間領域側のエッジに重なり、または、近接する。
【００１１】
請求項３に記載の発明は、請求項１または２に記載の使い捨ておむつであって、使用前の状態において、前記折り返し線が、前記第３止着部の前記第２中間領域側のエッジに重なり、または、近接する。
【００１２】
請求項４に記載の発明は、請求項１ないし３のいずれかに記載の使い捨ておむつであって、前記第２止着部の前記左右方向の幅が、前記第１止着部の前記幅および前記第３止着部の前記幅に等しい。
【００１３】
請求項５に記載の発明は、使い捨ておむつであって、前方部、股下部および後方部を長手方向に順に有する略シート状の本体部と、前記後方部の両側部に取り付けられ、前記前方部の外面に止着される一対の止着テープとを備え、前記一対の止着テープのそれぞれが、使用時に前記後方部の前記両側部から左右方向へと広げられるテープ基部と、広げられた状態における前記テープ基部の内面に、前記テープ基部の先端から前記本体部に向かって互いに離間して順に設けられた第１止着部、第２止着部および第３止着部とを備え、前記第１止着部、前記第２止着部および前記第３止着部が、前記前方部の前記外面に対して止着可能な微細フック構造を有し、前記第１止着部の前記左右方向の幅と前記第３止着部の前記左右方向の幅とが等しく、前記第１止着部と前記第２止着部との間の領域である第１中間領域の前記左右方向の幅と、前記第２止着部と前記第３止着部との間の領域である第２中間領域の前記左右方向の幅とが等しく、前記第１中間領域の前記幅および前記第２中間領域の前記幅が、前記第２止着部の前記左右方向の幅および前記第３止着部の前記幅以上であり、使用前の状態において、前記テープ基部が前記第２中間領域に位置する折り返し線にて折り返され、前記第１止着部が前記第３止着部よりも前記本体部側の領域に仮止着され、前記第２止着部が前記第２中間領域に仮止着され、前記第３止着部が前記第１中間領域に仮止着され、前記第２止着部と前記第２中間領域との重複面積が、前記第３止着部と前記第１中間領域との重複面積よりも大きく、前記第３止着部と前記第１中間領域との重複面積が、前記第１止着部と前記第３止着部よりも前記本体部側の前記領域との重複面積よりも大きい。
【００１４】
請求項６に記載の発明は、請求項５に記載の使い捨ておむつであって、使用前の状態において、前記折り返し線が、前記第２止着部の前記第２中間領域側のエッジに重なり、または、近接し、前記第３止着部の前記本体部側のエッジが、前記第１止着部の前記第１中間領域側のエッジに重なり、または、近接し、前記第３止着部の前記第２中間領域側のエッジが、前記第２止着部の前記第１中間領域側のエッジに重なり、または、近接する。
【００１５】
請求項７に記載の発明は、使い捨ておむつであって、前方部、股下部および後方部を長手方向に順に有する略シート状の本体部と、前記後方部の両側部に取り付けられ、前記前方部の外面に止着される一対の止着テープとを備え、前記一対の止着テープのそれぞれが、使用時に前記後方部の前記両側部から左右方向へと広げられるテープ基部と、広げられた状態における前記テープ基部の内面に、前記テープ基部の先端から前記本体部に向かって互いに離間して順に設けられた第１止着部、第２止着部および第３止着部とを備え、前記第１止着部、前記第２止着部および前記第３止着部が、前記前方部の前記外面に対して止着可能な微細フック構造を有し、前記第１止着部の前記左右方向の幅と前記第３止着部の前記左右方向の幅とが等しく、前記第１止着部と前記第２止着部との間の領域である第１中間領域の前記左右方向の幅と前記第２止着部と前記第３止着部との間の領域である第２中間領域の前記左右方向の幅とが等しく、前記第１中間領域の前記幅および前記第２中間領域の前記幅が、前記第１止着部の前記幅および前記第２止着部の前記左右方向の幅以上であり、使用前の状態において、前記テープ基部が前記第１中間領域に位置する折り返し線にて折り返され、前記第１止着部が前記第２中間領域に仮止着され、前記第２止着部が前記第１中間領域に仮止着され、前記第３止着部が前記テープ基部の前記第１止着部よりも先端側の領域に仮止着され、前記第２止着部と前記第１中間領域との重複面積が、前記第１止着部と前記第２中間領域との重複面積よりも大きく、前記第１止着部と前記第２中間領域との重複面積が、前記第３止着部と前記第１止着部よりも先端側の前記領域との重複面積よりも大きい。
【００１６】
請求項８に記載の発明は、請求項１ないし７のいずれかに記載の使い捨ておむつであって、前記第１止着部、前記第２止着部および前記第３止着部が、前記テープ基部の前記内面を横断する。
【００１７】
請求項９に記載の発明は、請求項１ないし８のいずれかに記載の使い捨ておむつであって、前記一対の止着テープと同様の他の一対の止着テープを、前記本体部の前記長手方向において前記一対の止着テープに隣接してさらに備える。
【発明の効果】
【００１８】
本発明では、使用前の状態における使い捨ておむつにおいて、複数の止着部を破損することなく止着テープを折り返して仮止着することができる。
【図面の簡単な説明】
【００１９】
【図１】第１の実施の形態に係る使い捨ておむつの平面図である。
【図２】使い捨ておむつの断面図である。
【図３】使い捨ておむつの斜視図である。
【図４】接続部近傍の平面図である。
【図５】接続部近傍の平面図である。
【図６】接続部近傍の断面図である。
【図７】使い捨ておむつの斜視図である。
【図８】接続部近傍の図である。
【図９】第２の実施の形態に係る使い捨ておむつの接続部近傍の平面図である。
【図１０】接続部近傍の断面図である。
【図１１】第３の実施の形態に係る使い捨ておむつの接続部近傍の平面図である。
【図１２】接続部近傍の断面図である。
【発明を実施するための形態】
【００２０】
図１は、本発明の第１の実施の形態に係る使い捨ておむつ１を広げた状態にて示す平面図である。使い捨ておむつ１は、着用者の腹側に当接する部位と背側に当接する部位とを、左右両側の接続部４により腰周りで止着して着用するテープタイプの使い捨ておむつであり、着用者からの排泄物を受ける。図１では、着用時に着用者に接する側（すなわち、着用者側）の面を手前にして使い捨ておむつ１を描いている。
【００２１】
図２は、使い捨ておむつ１を図１中に示すＡ−Ａの位置で長手方向（すなわち、図１中における上下方向）に垂直な面で切断した断面図である。図１および図２に示すように、使い捨ておむつ１は、略シート状の本体部２、および、本体部２の両側部（すなわち、長手方向に垂直な左右方向の両側）上に配置されて本体部２の長手方向のおよそ全長に亘る一対のサイドシート３を備える。
【００２２】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「股下部２０２」と呼ぶ。使い捨ておむつ１では、本体部２が前方部２０１、股下部２０２および後方部２０３を長手方向に順に有し、前方部２０１および後方部２０３の幅が、股下部２０２の幅よりも大きい。換言すれば、本体部２は、いわゆる砂時計型である。
【００２３】
使い捨ておむつ１は、後方部２０３の両側部に取り付けられた一対の接続部４をさらに備える。使い捨ておむつ１が着用者に装着される際には、本体部２の前方部２０１および後方部２０３をそれぞれ着用者の腹側および背側に当接させた状態で、一対の接続部４が、図３に示すように、前方部２０１の外面（すなわち、着用者に接する面とは反対側の面）の被止着部２６に止着されることにより、後方部２０３の両側部が前方部２０１の両側部に接続される。
【００２４】
図１および図２に示すように、本体部２は、透液性のトップシート２１、撥水性または不透液性のバックシート２３、および、トップシート２１とバックシート２３との間に配置された吸収コア２２を備える。図２では、図示の都合上、使い捨ておむつ１の各構成を厚さ方向に離して描いている。また、図１では、図の理解を容易にするために、吸収コア２２の輪郭を太破線にて描いている。図１に示すように、前方部２０１および後方部２０３における吸収コア２２の幅は、股下部２０２における吸収コア２２の幅よりも大きい。換言すれば、吸収コア２２は、いわゆる砂時計型である。
【００２５】
図３に示す被止着部２６は、バックシート２３の外面（すなわち、吸収コア２２と対向する面とは反対側の面）上に、平面視において吸収コア２２（図１および図２参照）と重なるように接合される。被止着部２６は、バックシート２３上にホットメルト接着剤等により接合される面ファスナのループ部材であり、樹脂等により形成されたベースシート、および、ベースシートのバックシート２３に接合される面とは反対側の面に設けられる微細ループ構造を有する。微細ループ構造とは、多数の微細なループ要素の集合を意味する。
【００２６】
図２に示すように、トップシート２１は、吸収コア２２の周りにおいてホットメルト接着剤を介してバックシート２３に接合される。また、サイドシート３の左右方向の外側の部位は、バックシート２３のトップシート２１から露出する部位、および、トップシート２１の左右方向のエッジ近傍の部位に、長手方向の全長に亘ってホットメルト接着剤を介して接合される。サイドシート３は、サイドシート本体３１、および、サイドシート本体３１の左右方向の内縁部である自由端にホットメルト接着剤により接合されて長手方向に伸びる弾性部材３２ａを備える。
【００２７】
図１に示す本体部２の長手方向の両端部では、各サイドシート３の左右方向の内側の部位（すなわち、本体部２の左右方向の中心軸側の部位）が、トップシート２１の着用者側の面にホットメルト接着剤を介して接合される。また、本体部２の股下部２０２では、サイドシート３の左右方向の外縁近傍の部位において、長手方向に伸びる２本の弾性部材３２ｂが、サイドシート３とバックシート２３とに挟まれてホットメルト接着剤により接合されている。これらのホットメルト接着剤としては、ポリオレフィン系、ゴム系、酢酸ビニル系等のものが利用される。なお、トップシート２１とバックシート２３との接合やサイドシート３とトップシート２１との接合は、熱融着接合や超音波接合等により行われてもよい。
【００２８】
図１および図２に示す各サイドシート３では、サイドシート本体３１の長手方向の両端部の間（すなわち、長手方向の中央部）における内側の部位３１３が、トップシート２１（および他の構成）とは非接合とされており、弾性部材３２ａが収縮することにより、当該部位３１３が、図２に示すように、着用者に向かって立ち上がり、着用者の脚の付け根近傍に当接する側壁部（いわゆる、立体ギャザー）となる。また、弾性部材３２ｂが収縮することにより、サイドシート３およびバックシート２３が着用者側かつ内側に向かって立ち上がってレッグギャザーが形成され、使い捨ておむつ１の着用時に着用者の足の付け根近傍に密着する。
【００２９】
図１に示すように、本体部２の長手方向の両端部にはそれぞれ、トップシート２１とバックシート２３とに挟まれるとともに左右方向に伸びる３本の弾性部材２５が設けられる。使い捨ておむつ１では、伸張状態にてトップシート２１およびバックシート２３に接合された弾性部材２５が収縮することによりウエストギャザーが形成され、使い捨ておむつ１の着用時に本体部２が着用者の腰周りに密着する。使い捨ておむつ１では、弾性部材３２ａ，３２ｂ、並びに、弾性部材２５により本体部２が着用者に密着することにより、脚周りおよび腰周りからの尿等の漏出が防止される。
【００３０】
トップシート２１は、透液性のシート材料であり、着用者からの排泄物の水分を速やかに捕捉して吸収コア２２へと移動させる。トップシート２１は、例えば、表面を界面活性剤により親水処理した疎水性繊維（例えば、ポリプロピレン、ポリエチレン、ポリエステル、ポリアミド、ナイロン）にて形成された透液性の不織布であり、当該不織布として、例えば、ポイントボンド不織布やエアスルー不織布、スパンレース不織布、スパンボンド不織布が利用される。なお、トップシート２１として、セルロースやレーヨン、コットン等の親水性繊維により形成された不織布が利用されてもよい。
【００３１】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００３２】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すことが防止される。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００３３】
サイドシート本体３１としては、疎水性繊維にて形成された撥水性または不透液性の不織布（例えば、スパンボンド不織布やメルトブロー不織布、ＳＭＳ不織布）が利用される。弾性部材３２ａ，３２ｂ，２５としては、例えば、ポリウレタン糸、帯状のポリウレタンフィルム、糸状または帯状の天然ゴム等が利用され、本実施の形態では、ポリウレタン糸が各弾性部材として利用される。
【００３４】
図４は、一対の接続部４のうち一方の接続部４近傍を拡大して示す平面図であり、他方の接続部４の構造も図４に示すものと同様である。一対の接続部４はそれぞれ、本体部２の長手方向（すなわち、図１および図４中の上下方向であり、以下、「本体長手方向」ともいう。）に配列される２つの止着テープ４１、および、２つの止着テープ４１の左右方向の内側（すなわち、本体部２側）に位置する略矩形の共通基部４２を備え、２つの止着テープ４１の構造および形状は同様である。換言すれば、図１に示す使い捨ておむつ１は、本体部２の後方部２０３の左右両側に取り付けられる一対の止着テープ４１を備え、当該一対の止着テープ４１と同様の他の一対の止着テープ４１を、本体長手方向において上記一対の止着テープ４１に隣接してさらに備える。
【００３５】
各止着テープ４１は、使い捨ておむつ１の使用前の状態では、図４に示すように、左右方向の内側に折り返されており、使い捨ておむつ１の使用時には、図５に示すように、本体部２の後方部２０３の両側部から左右方向へと広げられる。左右方向に広げられた状態における各止着テープ４１の左右方向の長さは、共通基部４２の本体部２から露出している部位の左右方向の長さよりも長い。
【００３６】
各接続部４では、２つの止着テープ４１のそれぞれが、使用時に後方部２０３の両側部から左右方向へと広げられるテープ状のテープ基部４４、並びに、広げられた状態におけるテープ基部４４の一方の主面４４１（すなわち、図５中における手前側の面）上に設けられる第１止着部４１１、第２止着部４１２および第３止着部４１３を備える。図５では、図の理解を容易にするために、第１止着部４１１、第２止着部４１２および第３止着部４１３に平行斜線を付す。テープ基部４４の主面４４１は、使い捨ておむつ１を着用者に装着する際に本体部２の前方部２０１（図３参照）に対向して着用者側を向く面であり、以下、「内面４４１」という。
【００３７】
各テープ基部４４の内面４４１では、第１止着部４１１、第２止着部４１２および第３止着部４１３が、テープ基部４４の先端４４２から本体部２に向かって（すなわち、共通基部４２に向かって）互いに離間して順に設けられる。第１止着部４１１、第２止着部４１２および第３止着部４１３のそれぞれの左右方向（図５中における左右方向）の幅は互いに等しい。また、テープ基部４４において、第１止着部４１１と第２止着部４１２との間の領域である第１中間領域４４５の左右方向の幅は、第２止着部４１２と第３止着部４１３との間の領域である第２中間領域４４６の左右方向の幅に等しい。第１中間領域４４５および第２中間領域４４６の左右方向の幅は、第１止着部４１１、第２止着部４１２および第３止着部４１３の左右方向の幅以上であり、本実施の形態では、第１止着部４１１、第２止着部４１２および第３止着部４１３の左右方向の幅におよそ等しい。
【００３８】
第１止着部４１１、第２止着部４１２および第３止着部４１３はそれぞれ、本体部２の前方部２０１の外面に設けられた被止着部２６（図３参照）に対して止着可能な面ファスナのフック部材であり、テープ基部４４の内面４４１上にホットメルト接着剤等により接合される。第１止着部４１１、第２止着部４１２および第３止着部４１３はそれぞれ、樹脂等により形成されたベースシート、および、ベースシートのテープ基部４４に接合される面とは反対側の面に設けられる微細フック構造を有する。第１止着部４１１、第２止着部４１２および第３止着部４１３にそれぞれ設けられた微細フック構造は、多数の微細なフック要素の集合であり、被止着部２６の微細ループ構造と互いに係合する（すなわち、被止着部２６に対して止着可能である。）。本実施の形態では、第１止着部４１１、第２止着部４１２および第３止着部４１３は同一種類のフック部材であり、それぞれの被止着部２６に対する単位面積当たりの止着強度は互いに等しい。
【００３９】
各接続部４では、２つの止着テープ４１の２つのテープ基部４４、および、共通基部４２は不織布や樹脂等により形成された１つの接続部シート４０の一部であり、２つの止着テープ４１を左右方向に広げた状態では、２つのテープ基部４４はそれぞれ、共通基部４２から左右方向の外側（すなわち、本体部２とは反対側）に向かって突出する。また、共通基部４２の内端部（接続部シート４０の内端部でもある。）は、本体部２のサイドシート３とバックシート２３との間に挟まれて接合され、共通基部４２の内端部以外の部位は、本体部２から左右方向の外側に向かって突出する。
【００４０】
換言すれば、２つのテープ基部４４は、本体部２側にて連続する１つの接続部シート４０の一部であり、接続部シート４０における２つのテープ基部４４の接続部分である共通基部４２は、本体部２の側方のエッジから側方へとはみ出している。なお、トップシート２１（図２参照）の外縁がバックシート２３の外縁に比較的近い位置に位置している場合には、共通基部４２の内端部は、トップシート２１とバックシート２３との間に接合されてもよい。
【００４１】
各接続部４では、２つの止着テープ４１のそれぞれの幅（すなわち、図５中の上下方向である本体長手方向におけるテープ基部４４の長さ）が、テープ基部４４の先端４４２である左右方向の外側の端部に向かうに従って漸次減少する。各止着テープ４１では、第１止着部４１１、第２止着部４１２および第３止着部４１３はそれぞれ、テープ基部４４の幅方向（本体長手方向に一致する方向であり、以下、「テープ幅方向」という。）の全体に亘って（すなわち、テープ基部４４の内面４４１を横断するように）テープ基部４４の内面４４１上に設けられる。また、第３止着部４１３は、共通基部４２の外エッジ４２１よりも左右方向の外側に位置し、共通基部４２から離間している。
【００４２】
以下、テープ基部４４における第３止着部４１３の本体部２側のエッジである内エッジ４１３２と共通基部４２の外エッジ４２１との間の部位を「内側領域４４７」という。また、テープ基部４４における第１止着部４１１の外エッジ４１１１よりも外側（すなわち、先端４４２側）の部位を「外側領域４４８」という。第１中間領域４４５、第２中間領域４４６、内側領域４４７および外側領域４４８には、上述のフック部材は設けられない。
【００４３】
各止着テープ４１では、第１止着部４１１の外エッジ４１１１と第３止着部４１３の内エッジ４１３２との間の左右方向の距離Ｌ１は、第２止着部４１２の左右方向の中央におけるテープ基部４４のテープ幅方向の幅Ｗ１よりも大きい。第１止着部４１１の内エッジ４１１２と第３止着部４１３の外エッジ４１３１との間の左右方向の距離Ｌ２は、テープ基部４４の幅Ｗ１の２５％以上であることが好ましく、より好ましくは幅Ｗ１以上である。また、距離Ｌ２は、第１止着部４１１および第３止着部４１３のそれぞれの左右方向の幅よりも大きい。
【００４４】
上述のように、各接続部４における２つの止着テープ４１の構造および形状は同様であるため、左右一対の止着テープ４１における距離Ｌ１は他の左右一対の止着テープ４１における幅Ｗ１よりも大きく、好ましくは、一対の止着テープ４１における距離Ｌ２は他の一対の止着テープ４１における幅Ｗ１の２５％以上（より好ましくは、幅Ｗ１以上）である。本実施の形態では、各止着テープ４１における距離Ｌ２はそれぞれ幅Ｗ１に等しい。また、各止着テープ４１における距離Ｌ１は距離Ｌ２のおよそ１６６％であり、第１中間領域４４５および第２中間領域４４６のそれぞれの左右方向の長さ（幅）は距離Ｌ２のおよそ３３％である。
【００４５】
各接続部４では、接続部シート４０が白色の樹脂材料により形成されており、第１止着部４１１、第２止着部４１２および第３止着部４１３が白色以外の有色の樹脂材料により形成されている。このため、２つの止着テープ４１のそれぞれにおいて、テープ基部４４の内面４４１における第１止着部４１１、第２止着部４１２および第３止着部４１３の視認が容易になるとともに、テープ基部４４の外面からテープ基部４４を透かして第１止着部４１１、第２止着部４１２および第３止着部４１３の位置が視認可能となっている。
【００４６】
図６は、使い捨ておむつ１の接続部４近傍の部位を図４中のＢ−Ｂの位置にて切断した断面図である。図４および図６に示すように、テープ基部４４は、使い捨ておむつ１の使用前の状態において、第２止着部４１２と第３止着部４１３との間の第２中間領域４４６に位置する折り返し線４３１にて、左右方向の内側（すなわち、本体部２側）へと折り返されている。折り返し線４３１は、第３止着部４１３の第２中間領域４４６側の外エッジ４１３１におよそ重なっており、折り返し線４３１から本体部２に向かって第３止着部４１３、第２止着部４１２および第１止着部４１１が順に並ぶ。第３止着部４１３は図６中における上側を向き、第２止着部４１２および第１止着部４１１は下側を向く。図４および図６に示すように、第３止着部４１３は第２中間領域４４６に仮止着され、第２止着部４１２は、テープ基部４４の内側領域４４７、および、共通基部４２の内面４２２に仮止着され、第１止着部４１１は共通基部４２の内面４２２に仮止着される。
【００４７】
ここで、２つのテープ基部４４の内面４４１と共通基部４２の内面４２２とをまとめて接続部シート４０の内面４０１と呼ぶと、接続部シート４０の内面４０１では、第１止着部４１１、第２止着部４１２および第３止着部４１３が互いを避けて（すなわち、互いに重なることなく）仮止着されており、第１止着部４１１および第２止着部４１２は、接続部シート４０の内面４０１のうち第３止着部４１３よりも本体部２側の領域に仮止着される。各止着テープ４１では、上述のように、第２中間領域４４６の左右方向の幅が第３止着部４１３の左右方向の幅におよそ等しいため、図６に示すように、第３止着部４１３の本体部２側の内エッジ４１３２が、第２止着部４１２の第２中間領域４４６側の内エッジ４１２２におよそ重なって（接して）第２止着部４１２と第３止着部４１３とが隣接する。
【００４８】
上述の仮止着とは、第１止着部４１１、第２止着部４１２および第３止着部４１３の被止着部２６（図３参照）に対する止着に比べて小さい止着強度にて行われる止着を意味する。第１止着部４１１、第２止着部４１２および第３止着部４１３の仮止着は使い捨ておむつ１の製造の際に行われ、使い捨ておむつ１は、第１止着部４１１、第２止着部４１２および第３止着部４１３が仮止着された状態で梱包される。そして、使い捨ておむつ１が着用者に装着される際に、看護士や介護士等の作業者により、各止着テープ４１の第１止着部４１１、第２止着部４１２および第３止着部４１３の仮止着が解除され（すなわち、第１止着部４１１、第２止着部４１２および第３止着部４１３が仮止着された部位から剥離され）、各止着テープ４１が左右方向に広げられる。
【００４９】
使い捨ておむつ１では、使用前の状態において、各止着テープ４１が折り返し線４３１にて折り返され、第１止着部４１１、第２止着部４１２および第３止着部４１３が、共通基部４２の内面４２２およびテープ基部４４の内面４４１に仮止着されることにより、止着部を本体部２に止着することなく、止着テープ４１の左右への突出長を短くすることができる。その結果、使い捨ておむつ１の製造の際に、止着テープ４１が意図しない部位に止着して不良品が製造されてしまうことを防止することができる。また、第１止着部４１１、第２止着部４１２および第３止着部４１３が互いに重なることなく仮止着することにより、第１止着部４１１、第２止着部４１２および第３止着部４１３のそれぞれの微細フック構造が重なって潰れたり、微細フック構造同士が強く係合して剥離される際に破損することが防止される。
【００５０】
ところで、上述のような微細フック構造を有する止着テープを止着対象から剥離する際に、微細フック構造近傍のテープ基部を引っ張って剥離する場合と、止着対象を引っ張って剥離する場合とでは、剥離しやすい引っ張り方向が異なる。換言すれば、微細フック構造と止着対象とを剥離する際の適切な引っ張り方向に関し、微細フック構造近傍を引っ張って剥離する場合の止着対象に対する相対的な引っ張り方向と、止着対象を引っ張って剥離する場合の微細フック構造に対する相対的な引っ張り方向とが異なる。
【００５１】
上述のように、本実施の形態に係る使い捨ておむつ１では、止着テープ４１が折り返された状態において、第２止着部４１２と第３止着部４１３とが左右方向に隣接しており、第２止着部４１２は図６中の下側を向いて仮止着され、第３止着部４１３は図６中の上側を向いて仮止着される。したがって、止着テープ４１の先端部を引っ張って仮止着を解除しようとすると、第１止着部４１１および第２止着部４１２が剥離しやすい引っ張り方向と、第３止着部４１３が剥離しやすい引っ張り方向とが異なる。このように、使い捨ておむつ１では、向きが異なる（すなわち、それぞれ下向きおよび上向きの）２つの止着部が左右方向において隣接することにより、止着テープ４１の先端４４２が引っかかる等して仮止着の意図しない剥離が生じた場合であっても、止着部が剥離しやすい引っ張り方向が剥離途上で変化するため、剥離を途中で止めることが可能となり、止着テープ４１の安定的な仮止着を実現することができる。
【００５２】
特に、第１止着部４１１、第２止着部４１２および第３止着部４１３における微細フック構造の形状や配列に方向性が存在し、下向きの第１止着部４１１および第２止着部４１２における微細フック構造の形状や配列等が、上向きの第３止着部４１３における微細フック構造の形状や配列等と異なる場合（例えば、止着テープ４１が折り返された状態において、カギ状の微細なフック要素の向きが、第１止着部４１１および第２止着部４１２と第３止着部４１３とで左右反対になる場合）、止着部が剥離しやすい引っ張り方向の変化が大きくなり、止着テープ４１のさらに安定的な仮止着が実現される。
【００５３】
使い捨ておむつ１では、また、テープ基部４４の先端４４２近傍に配置される第１止着部４１１が仮止着されることにより、使い捨ておむつ１の製造時に止着テープ４１の先端部が意図しない部位に止着してしまうことを防止することができる。さらに、第１止着部４１１が第２止着部４１２および第３止着部４１３と離間して止着されることにより、止着テープ４１の先端部の仮止着の解除が容易になるため、使い捨ておむつ１を使用する際に止着テープ４１の先端部を摘んで容易に左右に広げることができる。
【００５４】
止着テープ４１では、第３止着部４１３の内エッジ４１３２が第２止着部４１２の内エッジ４１２２におよそ重なるように第２止着部４１２および第３止着部４１３が近接して仮止着されることにより、第２止着部４１２と第３止着部４１３とが大きく離間して仮止着される場合に比べて、折り返し線４３１近傍における左右方向の単位長さ当たりの止着力が増大する。その結果、止着テープ４１の強固な仮止着が実現される。また、止着テープ４１では、折り返し線４３１が第２中間領域４４６において第３止着部４１３の外エッジ４１３１におよそ重なることにより、止着テープ４１の左右への突出長をより短くすることができる。
【００５５】
強固な仮止着を実現するという観点からは、第３止着部４１３の内エッジ４１３２は第２止着部４１２の内エッジ４１２２に必ずしも重なる必要はなく、近接していればよい。強固な仮止着を実現するためには、第３止着部４１３の内エッジ４１３２と第２止着部４１２の内エッジ４１２２との間の左右方向の距離は５ｍｍ以下（より、好ましくは２ｍｍ以下）であることが好ましい。このように、第３止着部４１３の内エッジ４１３２と第２止着部４１２の内エッジ４１２２とが重ならずに近接している場合、第２中間領域４４６の左右方向の幅は、第３止着部４１３の左右方向の幅よりも大きくなる。
【００５６】
止着テープ４１の左右への突出長を短くするという観点からは、折り返し線４３１は必ずしも第３止着部４１３の外エッジ４１３１に重なる必要はなく、近接していればよい。止着テープ４１の突出長を短くするためには、折り返し線４３１と第３止着部４１３の外エッジ４１３１との間の左右方向の距離は５ｍｍ以下（より、好ましくは２ｍｍ以下）であることが好ましい。このように、折り返し線４３１と第３止着部４１３の外エッジ４１３１とが重ならずに近接している場合、第２中間領域４４６の左右方向の幅は、第３止着部４１３の左右方向の幅よりも大きくなる。
【００５７】
上述のように、各止着テープ４１では、第１止着部４１１、第２止着部４１２および第３止着部４１３が同一種類のフック部材であり、それぞれの幅が互いに等しい。このため、同一種類の長尺状のフック部材により第１止着部４１１、第２止着部４１２および第３止着部４１３を形成することができ、接続部４の製造を簡素化することができる。
【００５８】
使い捨ておむつ１が着用者に装着される際には、左右方向に広げられた各止着テープ４１が、図３に示すように前方部２０１の被止着部２６に止着される。使い捨ておむつ１では、各止着テープ４１が、左右方向に離間する第１止着部４１１、第２止着部４１２および第３止着部４１３（図５参照）により被止着部２６に止着されるため、止着テープ４１が着用者の動作に追従して容易に変形する。その結果、止着テープ４１が着用者の動作等により被止着部２６から剥離してしまうことが抑制される。
【００５９】
使い捨ておむつ１では、各止着テープ４１において、第１止着部４１１、第２止着部４１２および第３止着部４１３がテープ基部４４の内面４４１を横断するように設けられることにより、各止着部の面積を大きくすることができ、その結果、使用前の状態における止着テープ４１の仮止着、および、使用時における止着テープ４１の被止着部２６への止着をより強固なものとすることができる。
【００６０】
使い捨ておむつ１が着用者の体型に対して大きい等の場合には（例えば、通常の着用者よりも痩せている着用者に対して使い捨ておむつ１が装着される際には）、各接続部４において、本体長手方向に配列された２つの止着テープ４１のうち一方の止着テープ４１が被止着部２６に止着された後、他方の止着テープ４１が一方の止着テープ４１を跨ぐように被止着部２６に止着される。本実施の形態では、各接続部４において、図７中の上側に位置する止着テープ（以下、「第１止着テープ４１ａ」という。）が、先端を斜め下に向けて被止着部２６に止着され、図７中の下側に位置する止着テープ（以下、「第２止着テープ４１ｂ」という。）が、先端を斜め上に向けて第１止着テープ４１ａ上に重なった状態で被止着部２６に止着される。これにより、本体部２の長手方向の両端部において前方部２０１および後方部２０３が着用者の腰周りにフィットするとともに、本体部の両側端部が着用者の両脚の付け根近傍にフィットする。
【００６１】
図８は、一対の接続部４のうち一方の接続部４近傍を拡大して示す図である。図８に示すように、被止着部２６上では、第１止着テープ４１ａと第１止着テープ４１ａの上に重なる第２止着テープ４１ｂとがおよそ垂直に交差する。すなわち、第１止着テープ４１ａの左右方向に伸びる中心線４１９ａと第２止着テープ４１ｂの左右方向に伸びる中心線４１９ｂとの為す角度θがおよそ９０°となるように第１止着テープ４１ａと第２止着テープ４１ｂとが交差する。第２止着テープ４１ｂの第１止着部４１１および第３止着部４１３は、第１止着テープ４１ａのテープ幅方向の両側において（すなわち、第１止着テープ４１ａを跨いで）被止着部２６に止着され、第２止着テープ４１ｂの第２止着部４１２は、第１止着テープ４１ａの第１止着部４１１と第３止着部４１３との間において第１止着テープ４１ａの外面に重なる。図８では、図の理解を容易にするために、第２止着テープ４１ｂの第１止着部４１１、第２止着部４１２および第３止着部４１３に平行斜線を付す。
【００６２】
使い捨ておむつ１では、使い捨ておむつ１を装着する際の取り扱いを容易にするために、あるいは、使い捨ておむつ１の製造を容易にするために、第１止着テープ４１ａおよび第２止着テープ４１ｂの長さがある程度の大きさ以下に制限され、その結果、各止着テープにおける第１止着部４１１の外エッジ４１１１と第３止着部４１３の内エッジ４１３２との間の距離Ｌ１（図５参照）にも上限が設けられる。接続部４では、止着テープの重ね止めの際に第１止着テープ４１ａの上に重なる第２止着テープ４１ｂにおいて、第１止着部４１１と第３止着部４１３との間にフック部材が接合されない第１中間領域４４５および第２中間領域４４６を設けることにより、止着部（すなわち、第１止着部４１１、第２止着部４１２および第３止着部４１３）の合計面積を小さくすることができる。これにより、使い捨ておむつ１の製造コストを低減することができる。
【００６３】
また、第２止着テープ４１ｂの第１止着部４１１の外エッジ４１１１と第３止着部４１３の内エッジ４１３２との間の距離Ｌ１を、第１止着テープ４１ａの第２止着部４１２の左右方向の中央におけるテープ基部４４の幅Ｗ１（図５参照）よりも大きくすることにより、第１止着テープ４１ａと第２止着テープ４１ｂとの重ね止めの際に、第２止着テープ４１ｂの第１止着部４１１および第３止着部４１３のそれぞれの少なくとも一部を、第１止着テープ４１ａに重ねることなく前方部２０１の被止着部２６に容易に止着することができる。その結果、使い捨ておむつ１を着用者に対してフィットさせることができる。
【００６４】
使い捨ておむつ１では、第１止着テープ４１ａにおいても、第２止着テープ４１ｂと同様に、第１止着部４１１と第３止着部４１３との間にフック部材が接合されない第１中間領域４４５および第２中間領域４４６（図５参照）を設けることにより、止着部の合計面積を小さくすることができる。また、使い捨ておむつ１を着用者に装着する際に、第２止着テープ４１ｂを被止着部２６に止着した後に第１止着テープ４１ａを第２止着テープ４１ｂ上に重ねて被止着部２６に止着する場合においても、第１止着テープ４１ａの第１止着部４１１および第３止着部４１３の少なくとも一部が、第２止着テープ４１ｂに重なることなく被止着部２６に容易に止着される。
【００６５】
使い捨ておむつ１では、各止着テープ４１において、第１止着部４１１の外エッジ４１１１の上端と第３止着部４１３の内エッジ４１３２の下端との間の距離が、好ましくは上述のテープ基部４４の幅Ｗ１以上である。これにより、止着テープ４１の重ね止めの際に、上に重なる止着テープ４１の第１止着部４１１および第３止着部４１３のそれぞれの少なくとも一部を、前方部２０１の被止着部２６により容易に止着することができる。
【００６６】
接続部４では、第２止着テープ４１ｂにおける距離Ｌ２（図５参照）が、第１止着テープ４１ａにおけるテープ基部４４の幅Ｗ１以上であることにより、第２止着テープ４１ｂを第１止着テープ４１ａ上に重ねて被止着部２６に止着する際に、第２止着テープ４１ｂの第１止着部４１１および第３止着部４１３と第１止着テープ４１ａとの重なりを抑制して止着部の合計面積をより小さくすることができる。また、第１止着テープ４１ａにおける距離Ｌ２が、第２止着テープ４１ｂにおける幅Ｗ１以上であることにより、第１止着テープ４１ａを第２止着テープ４１ｂ上に重ねて被止着部２６に止着する際に、第１止着テープ４１ａの第１止着部４１１および第３止着部４１３と第２止着テープ４１ｂとの重なりを抑制して止着部の合計面積をより小さくすることができる。
【００６７】
使い捨ておむつ１では、各止着テープ４１において、第１止着部４１１の内エッジ４１１２の上端と第３止着部４１３の外エッジ４１３１の下端との間の距離が、好ましくはテープ基部４４の幅Ｗ１以上である。これにより、止着テープ４１の重ね止めの際に、上に重なる止着テープ４１の止着に利用されない可能性が高い部位に止着部が設けられることを抑制して止着部の合計面積をより小さくすることができる。
【００６８】
接続部４における止着テープの重ね止めの際には、第１止着テープ４１ａの中心線４１９ａと第２止着テープ４１ｂの中心線４１９ｂとの為す角度θは必ずしもおよそ９０°には限定されず、例えば、角度θ（すなわち、中心線４１９ａと中心線４１９ｂとの交点から第１止着テープ４１ａおよび第２止着テープ４１ｂの先端にそれぞれ向かう中心線４１９ａ，４１９ｂが為す角度）が３０°以上９０°以下となるように、第１止着テープ４１ａと第２止着テープ４１ｂとが重ねられてもよい。
【００６９】
接続部４では、第１止着テープ４１ａおよび第２止着テープ４１ｂのそれぞれの幅が、テープ基部４４の先端に向かうに従って漸次減少する。このため、止着テープの重ね止めの際に、後から止着される止着テープ（すなわち、他方の止着テープ上に重ねて被止着部２６に止着される止着テープ）の第１止着部４１１を、先に止着された止着テープを避けて被止着部２６に容易に止着することができる。その結果、後から被止着部２６に止着される止着テープの先端部を被止着部２６に強固に止着することができる。
【００７０】
接続部４では、第１止着テープ４１ａおよび第２止着テープ４１ｂの２つのテープ基部４４が本体部２側にて連続する１つの接続部シート４０の一部であり、第１止着テープ４１ａおよび第２止着テープ４１ｂの第３止着部４１３が、接続部シート４０の共通基部４２よりも左右方向の外側に位置する。このため、第１止着テープ４１ａおよび第２止着テープ４１ｂの根本部分の剛性（すなわち、内側領域４４７における剛性）が過剰に大きくなることが防止され、第１止着テープ４１ａおよび第２止着テープ４１ｂを根本部分にて容易に変形することができる。その結果、第１止着テープ４１ａと第２止着テープ４１ｂとの重ね止めを容易に行うことができる。また、共通基部４２が本体部２の側方エッジから側方へとはみ出しているため、共通基部４２を変形させて第１止着テープ４１ａと第２止着テープ４１ｂとを容易に近づけることができる。その結果、第１止着テープ４１ａと第２止着テープ４１ｂとの重ね止めをより容易に行うことができる。
【００７１】
さらに、第１止着テープ４１ａおよび第２止着テープ４１ｂにおいて、第１止着部４１１、第２止着部４１２および第３止着部４１３の位置がテープ基部４４の外面から視認可能であることにより、第１止着テープ４１ａと第２止着テープ４１ｂとの重ね止めの際に、２つの止着テープの第１止着部４１１と第３止着部４１３との間の領域の重複面積を容易に大きくすることができる。換言すれば、後から被止着部２６に止着される止着テープの第１止着部４１１および第３止着部４１３が、先に止着された止着テープと広い範囲に亘って重なってしまうことを防止することができる。その結果、後から被止着部２６に止着される止着テープを被止着部２６に強固に止着することができる。
【００７２】
次に、本発明の第２の実施の形態に係る使い捨ておむつについて説明する。図９は、第２の実施の形態に係る使い捨ておむつの接続部４近傍の部位の平面図であり、図１０は、接続部４近傍の部位を図９中のＣ−Ｃの位置にて切断した断面図である。第２の実施の形態に係る使い捨ておむつは、使用前の状態における各止着テープ４１の折り返し形状が異なる点を除き、第１の実施の形態に係る使い捨ておむつ１と同様の構造を有する。以下の説明では、第２の実施の形態に係る使い捨ておむつの各構成に、図１ないし図５に示す使い捨ておむつ１の対応する構成と同符号を付す。
【００７３】
図９および図１０に示すように、各止着テープ４１のテープ基部４４は、使い捨ておむつ１の使用前の状態において、第２止着部４１２と第３止着部４１３との間の第２中間領域４４６に位置する折り返し線４３１にて、左右方向の内側（すなわち、本体部２側）へと折り返されている。折り返し線４３１は、第２止着部４１２の第２中間領域４４６側の内エッジ４１２２におよそ重なっており、折り返し線４３１から本体部２に向かって第２止着部４１２、第３止着部４１３および第１止着部４１１が順に並ぶ。第２止着部４１２は図１０中における下側を向き、第３止着部４１３は上側を向き、第１止着部４１１は下側を向く。図９および図１０に示すように、第２止着部４１２は第２中間領域４４６に仮止着され、第３止着部４１３は第１中間領域４４５に仮止着され、第１止着部４１１は、テープ基部４４の内側領域４４７、および、共通基部４２の内面４２２（すなわち、接続部シート４０の内面４０１のうち第３止着部４１３よりも本体部２側の領域）に仮止着される。
【００７４】
各止着テープ４１では、上述のように、第２中間領域４４６の左右方向の幅が第２止着部４１２の左右方向の幅におよそ等しいため、第２止着部４１２の第１中間領域４４５側の外エッジ４１２１が、第３止着部４１３の第２中間領域４４６側の外エッジ４１３１におよそ重なって（接して）第２止着部４１２と第３止着部４１３とが隣接する。また、第１中間領域４４５の左右方向の幅が第３止着部４１３の左右方向の幅におよそ等しいため、第３止着部４１３の本体部２側の内エッジ４１３２が、第１止着部４１１の第１中間領域４４５側の内エッジ４１１２におよそ重なって（接して）第１止着部４１１と第３止着部４１３とが隣接する。
【００７５】
第２の実施の形態に係る使い捨ておむつでは、使用前の状態において、各止着テープ４１が折り返し線４３１にて折り返され、第１止着部４１１、第２止着部４１２および第３止着部４１３が、接続部シート４０の内面４０１に仮止着されることにより、第１の実施の形態と同様に、止着テープ４１の左右への突出長を短くすることができる。また、第１止着部４１１、第２止着部４１２および第３止着部４１３が互いに重なることなく仮止着することにより、第１止着部４１１、第２止着部４１２および第３止着部４１３のそれぞれの微細フック構造が重なって潰れたり、微細フック構造同士が強く係合して剥離される際に破損することが防止される。
【００７６】
上述のように、止着テープ４１が折り返された状態では、第２止着部４１２、第３止着部４１３および第１止着部４１１が左右方向において隣接しており、両側に配置される第２止着部４１２および第１止着部４１１は図１０中の下側を向いて仮止着され、中央の第３止着部４１３は図１０中の上側を向いて仮止着される。このように、止着テープ４１を折り返して仮止着する際に、向きが異なる（すなわち、それぞれ下向きおよび上向きの）３つの止着部が左右方向において交互に配列されることにより、止着テープ４１の先端４４２が引っかかる等して仮止着の意図しない剥離が生じた場合であっても、止着部が剥離しやすい引っ張り方向が左右方向において２回変化するため、止着テープ４１の安定的な仮止着を実現することができる。
【００７７】
各止着テープ４１では、第２止着部４１２の外エッジ４１２１が第３止着部４１３の外エッジ４１３１におよそ重なるように第２止着部４１２および第３止着部４１３が近接して仮止着されることにより、折り返し線４３１近傍における左右方向の単位長さ当たりの止着力が増大し、止着テープ４１の強固な仮止着が実現される。また、第３止着部４１３の内エッジ４１３２が第１止着部４１１の内エッジ４１１２におよそ重なるように第３止着部４１３および第１止着部４１１が近接して仮止着されることにより、左右方向の単位長さ当たりの止着力がさらに増大し、より強固な仮止着が実現される。
【００７８】
強固な仮止着を実現するという観点からは、第２止着部４１２の外エッジ４１２１は第３止着部４１３の外エッジ４１３１に必ずしも重なる必要はなく、近接していればよい。また、第３止着部４１３の内エッジ４１３２は第１止着部４１１の内エッジ４１１２に必ずしも重なる必要はなく、近接していればよい。強固な仮止着を実現するためには、第２止着部４１２の外エッジ４１２１と第３止着部４１３の外エッジ４１３１との間の左右方向の距離、および、第３止着部４１３の内エッジ４１３２と第１止着部４１１の内エッジ４１１２との間の左右方向の距離はそれぞれ、５ｍｍ以下（より、好ましくは２ｍｍ以下）であることが好ましい。このように、第２止着部４１２の外エッジ４１２１と第３止着部４１３の外エッジ４１３１とが重ならずに近接している場合、第２中間領域４４６の左右方向の幅は、第２止着部４１２の左右方向の幅よりも大きくなる。また、第３止着部４１３の内エッジ４１３２と第１止着部４１１の内エッジ４１１２とが重ならずに近接している場合、第１中間領域４４５の左右方向の幅は、第３止着部４１３の左右方向の幅よりも大きくなる。
【００７９】
止着テープ４１の左右への突出長を短くするという観点からは、折り返し線４３１は必ずしも第２止着部４１２の内エッジ４１２２に重なる必要はなく、近接していればよい。止着テープ４１の突出長を短くするためには、折り返し線４３１と第２止着部４１２の内エッジ４１２２との間の左右方向の距離は５ｍｍ以下（より、好ましくは２ｍｍ以下）であることが好ましい。このように、折り返し線４３１と第２止着部４１２の内エッジ４１２２とが重ならずに近接している場合、第２中間領域４４６の左右方向の幅は、第２止着部４１２の左右方向の幅よりも大きくなる。
【００８０】
次に、本発明の第３の実施の形態に係る使い捨ておむつについて説明する。図１１は、第３の実施の形態に係る使い捨ておむつの接続部４近傍の部位の平面図であり、図１２は、接続部４近傍の部位を図１１中のＤ−Ｄの位置にて切断した断面図である。第３の実施の形態に係る使い捨ておむつは、使用前の状態における各止着テープ４１の折り返し形状が異なる点を除き、第１の実施の形態に係る使い捨ておむつ１と同様の構造を有する。以下の説明では、第３の実施の形態に係る使い捨ておむつの各構成に、図１ないし図５に示す使い捨ておむつ１の対応する構成と同符号を付す。
【００８１】
図１１および図１２に示すように、各止着テープ４１のテープ基部４４は、使い捨ておむつ１の使用前の状態において、第１止着部４１１と第２止着部４１２との間の第１中間領域４４５に位置する折り返し線４３１にて、左右方向の内側（すなわち、本体部２側）へと折り返されている。折り返し線４３１は、第２止着部４１２の第１中間領域４４５側の外エッジ４１２１におよそ重なっており、折り返し線４３１から本体部２に向かって第２止着部４１２、第１止着部４１１および第３止着部４１３が順に並ぶ。第２止着部４１２は図１２中における上側を向き、第１止着部４１１は下側を向き、第３止着部４１３は上側を向く。第２止着部４１２は第１中間領域４４５に仮止着され、第１止着部４１１は第２中間領域４４６に仮止着され、第３止着部４１３は外側領域４４８に仮止着される。
【００８２】
各止着テープ４１では、上述のように、第１中間領域４４５の左右方向の幅が第２止着部４１２の左右方向の幅におよそ等しいため、第２止着部４１２の本体部２側の内エッジ４１２２が、第１止着部４１１の第１中間領域４４５側の内エッジ４１１２におよそ重なって（接して）第１止着部４１１と第２止着部４１２とが隣接する。また、第２中間領域４４６の左右方向の幅が第１止着部４１１の左右方向の幅におよそ等しいため、第１止着部４１１の先端４４２側の外エッジ４１１１が、第３止着部４１３の第２中間領域４４６側の外エッジ４１３１におよそ重なって（接して）第１止着部４１１と第３止着部４１３とが隣接する。
【００８３】
第３の実施の形態に係る使い捨ておむつでは、使用前の状態において、各止着テープ４１が折り返し線４３１にて折り返され、第１止着部４１１、第２止着部４１２および第３止着部４１３が、接続部シート４０の内面４０１に仮止着されることにより、第１の実施の形態と同様に、止着テープ４１の左右への突出長を短くすることができる。また、第１止着部４１１、第２止着部４１２および第３止着部４１３が互いに重なることなく仮止着することにより、第１止着部４１１、第２止着部４１２および第３止着部４１３のそれぞれの微細フック構造が重なって潰れたり、微細フック構造同士が強く係合して剥離される際に破損することが防止される。
【００８４】
上述のように、止着テープ４１が折り返された状態では、第２止着部４１２、第１止着部４１１および第３止着部４１３が左右方向において隣接しており、両側に配置される第２止着部４１２および第３止着部４１３は図１２中の上側を向いて仮止着され、中央の第１止着部４１１は図１２中の下側を向いて仮止着される。このように、止着テープ４１を折り返して仮止着する際に、向きが異なる（すなわち、それぞれ下向きおよび上向きの）３つの止着部が左右方向において交互に配列されることにより、第２の実施の形態と同様に、止着テープ４１の安定的な仮止着を実現することができる。
【００８５】
各止着テープ４１では、第２止着部４１２の内エッジ４１２２が第１止着部４１１の内エッジ４１１２におよそ重なるように第２止着部４１２および第１止着部４１１が近接して仮止着されることにより、止着テープ４１の強固な仮止着が実現される。また、第１止着部４１１の外エッジ４１１１が第３止着部４１３の外エッジ４１３１におよそ重なるように第１止着部４１１および第３止着部４１３が近接して仮止着されることにより、さらに強固な仮止着が実現される。
【００８６】
強固な仮止着を実現するという観点からは、第２止着部４１２の内エッジ４１２２は第１止着部４１１の内エッジ４１１２に必ずしも重なる必要はなく、近接していればよい。また、第１止着部４１１の外エッジ４１１１は第３止着部４１３の外エッジ４１３１に必ずしも重なる必要はなく、近接していればよい。強固な仮止着を実現するためには、第２止着部４１２の内エッジ４１２２と第１止着部４１１の内エッジ４１１２との間の左右方向の距離、および、第１止着部４１１の外エッジ４１１１と第３止着部４１３の外エッジ４１３１との間の左右方向の距離はそれぞれ、５ｍｍ以下（より、好ましくは２ｍｍ以下）であることが好ましい。このように、第２止着部４１２の内エッジ４１２２と第１止着部４１１の内エッジ４１１２とが重ならずに近接している場合、第１中間領域４４５の左右方向の幅は、第２止着部４１２の左右方向の幅よりも大きくなる。また、第１止着部４１１の外エッジ４１１１と第３止着部４１３の外エッジ４１３１とが重ならずに近接している場合、第２中間領域４４６の左右方向の幅は、第１止着部４１１の左右方向の幅よりも大きくなる。
【００８７】
止着テープ４１の左右への突出長を短くするという観点からは、折り返し線４３１は必ずしも第２止着部４１２の外エッジ４１２１に重なる必要はなく、近接していればよい。止着テープ４１の突出長を短くするためには、折り返し線４３１と第２止着部４１２の外エッジ４１２１との間の左右方向の距離は５ｍｍ以下（より、好ましくは２ｍｍ以下）であることが好ましい。このように、折り返し線４３１と第２止着部４１２の外エッジ４１２１とが重ならずに近接している場合、第１中間領域４４５の左右方向の幅は、第２止着部４１２の左右方向の幅よりも大きくなる。
【００８８】
以上、本発明の実施の形態について説明してきたが、本発明は上記実施の形態に限定されるものではなく、様々な変更が可能である。
【００８９】
例えば、第１および第２の実施の形態に係る使い捨ておむつでは、仮止着された状態における止着テープ４１の左右への突出長が十分に短くなるのであれば、第２中間領域４４６に位置する折り返し線４３１は第３止着部４１３の外エッジ４１３１および第２止着部４１２の内エッジ４１２２から５ｍｍ以上離間した位置に配置されてよい。また、第３の実施の形態に係る使い捨ておむつでは、仮止着された状態における止着テープ４１の左右への突出長が十分に短くなるのであれば、第１中間領域４４５に位置する折り返し線４３１は第２止着部４１２の外エッジ４１２１から５ｍｍ以上離間した位置に配置されてよい。使い捨ておむつでは、第２止着部４１２の左右方向の幅は第１止着部４１１および第３止着部４１３の左右方向の幅と異なっていてもよい。
【００９０】
第１の実施の形態に係る使い捨ておむつ１では、使用前の状態において、各止着テープ４１の第２止着部４１２がテープ基部４４の内側領域４４７のみ、または、共通基部４２の内面４２２のみに止着されてもよい。第２の実施の形態に係る使い捨ておむつでは、各止着テープ４１の第１止着部４１１がテープ基部４４の内側領域４４７のみ、または、共通基部４２の内面４２２のみに止着されてもよい。
【００９１】
上記実施の形態に係る使い捨ておむつの各止着テープ４１では、テープ基部４４の内面４４１に微細フック構造が直接形成されて第１止着部４１１、第２止着部４１２および第３止着部４１３とされてもよく、本体部２では、前方部２０１の外面に微細ループ構造が直接形成されて被止着部２６とされてもよい。使い捨ておむつでは、前方部２０１の外面から被止着部２６が省略され、第１止着部４１１、第２止着部４１２および第３止着部４１３が前方部２０１の不織布に直接止着されてよい。
【００９２】
各止着テープ４１では、例えば、テープ基部４４の外面に第１止着部４１１、第２止着部４１２および第３止着部４１３の位置を示す目印が印刷されることにより、テープ基部４４の外面から第１止着部４１１、第２止着部４１２および第３止着部４１３の位置が視認可能とされてもよい。
【００９３】
各接続部４では、必ずしも共通基部４２が設けられる必要はなく、２つの止着テープ４１のそれぞれのテープ基部４４の端部が本体部２に直接接合されてもよい。また、各接続部４が１つの止着テープ４１のみを有していてもよい。各止着テープ４１のそれぞれの幅は、例えば、テープ基部４４の左右方向のおよそ全長に亘って一定であってもよい。また、第１止着部４１１、第２止着部４１２および第３止着部４１３のテープ幅方向の幅は、テープ基部４４のテープ幅方向の幅よりも小さくてもよい。
【００９４】
上記実施の形態および各変形例における構成は、相互に矛盾しない限り適宜組み合わせられてよい。
【符号の説明】
【００９５】
１    使い捨ておむつ
２    本体部
２６    被止着部
４１    止着テープ
４１ａ    第１止着テープ
４１ｂ    第２止着テープ
４４    テープ基部
２０１    前方部
２０２    股下部
２０３    後方部
４１１    第１止着部
４１２    第２止着部
４１３    第３止着部
４２２    内面
４３１    折り返し線
４４１    内面
４４２    先端
４４５    第１中間領域
４４６    第２中間領域
４４７    内側領域
４１１２    内エッジ
４１２１    外エッジ
４１２２    内エッジ
４１３１    外エッジ
４１３２    内エッジ
【図１】
0005643026.tif 000002
【図２】
0005643026.tif 000003
【図３】
0005643026.tif 000004
【図４】
0005643026.tif 000005
【図５】
0005643026.tif 000006
【図６】
0005643026.tif 000007
【図７】
0005643026.tif 000008
【図８】
0005643026.tif 000009
【図９】
0005643026.tif 000010
【図１０】
0005643026.tif 000011
【図１１】
0005643026.tif 000012
【図１２】
0005643026.tif 000013